(57)【特許請求の範囲】
【請求項１】
下部走行体と、
下部走行体上に旋回可能に設けられた上部旋回体と、
上部旋回体上に搭載されたキャブおよびこのキャブの前方に突設された作業装置とを備え、
上部旋回体は、
下部走行体に対し旋回駆動され外側端を開口端とし内空部にキャブ破損防止用のガード部材を収納する中空の梁部材を有する旋回フレームと、
旋回フレームの周囲に装着されたフェンダと、
キャブの外郭部における後部と対応するとともに梁部材の開口端と対応する位置でフェンダの周側面に設けられた開口部と、
開口部に開閉自在に設けられた扉体と、
扉体の内側に設けられ小物類を収納する収納空間部とを具備し、
上部旋回体の外殻部より内側にてキャブ外郭部が後側になるにしたがって内側に彎曲されたキャブが搭載され、
収納空間部は、主としてキャブ外郭部の下側に位置する梁部材の開口端と上部旋回体の外殻部に位置する開口部との間の空スペース領域に設けられた
ことを特徴とする旋回型作業機械。
【請求項２】
上部旋回体に、キャブ外郭部が後側になるにしたがって内側に彎曲されたキャブが旋回フレームより高い位置に搭載された
ことを特徴とする請求項１記載の旋回型作業機械。
【請求項３】
小物類は、ツールボックス、グリスガン、ウォッシャタンクおよびコントローラである
ことを特徴とする請求項１または２記載の旋回型作業機械。
【請求項４】
上部旋回体の後端半径が小さい小旋回機である
ことを特徴とする請求項１乃至３のいずれか記載の旋回型作業機械。
【発明の詳細な説明】
【０００１】
【発明の属する技術分野】
本発明は、旋回フレーム内に収納空間部を有する旋回型作業機械に関する。
【０００２】
【従来の技術】
旋回型作業機械としての油圧ショベルは、下部走行体上に上部旋回体が旋回可能に設けられ、この上部旋回体上にキャブおよびフロント作業装置が搭載されている。
【０００３】
上部旋回体のキャブ下側のスペースは、パイロット油圧配管、電気配線などが密集しており、例えば、ツールボックス、グリスガンなどの小物類を設置するには狭く、これらの小物類は、他の箇所に設置することが一般的である。
【０００４】
【発明が解決しようとする課題】
しかしながら、上部旋回体の後端半径が小さい小旋回機などの、レイアウト上スペースの少ない機種では、上記のような小物類を収納できるスペースを確保することが困難になっている。
【０００５】
本発明は、このような点に鑑みなされたもので、レイアウト上スペースの少ない旋回型作業機械において、小物類を収納できるスペースを確保することを目的とするものである。
【０００６】
【課題を解決するための手段】
請求項１に記載された発明は、下部走行体と、下部走行体上に旋回可能に設けられた上部旋回体と、上部旋回体上に搭載されたキャブおよびこのキャブの前方に突設された作業装置とを備え、上部旋回体は、下部走行体に対し旋回駆動され外側端を開口端とし内空部にキャブ破損防止用のガード部材を収納する中空の梁部材を有する旋回フレームと、旋回フレームの周囲に装着されたフェンダと、キャブの外郭部における後部と対応するとともに梁部材の開口端と対応する位置でフェンダの周側面に設けられた開口部と、開口部に開閉自在に設けられた扉体と、扉体の内側に設けられ小物類を収納する収納空間部とを具備し、上部旋回体の外殻部より内側にてキャブ外郭部が後側になるにしたがって内側に彎曲されたキャブが搭載され、収納空間部は、主としてキャブ外郭部の下側に位置する梁部材の開口端と上部旋回体の外殻部に位置する開口部との間の空スペース領域に設けられた旋回型作業機械であり、作業装置の突設された前方に対するキャブの後部はスペース上の余裕があるので、このキャブの外郭部における後部と対応する位置で上部旋回体のフェンダの周側面に開口部と扉体を設け、扉体の内側に小物類の収納空間部を設けたので、レイアウト上スペースの少ない旋回型作業機械において、小物類を収納できるスペースを確保でき、特に、上部旋回体に、キャブ外郭部が後側になるにしたがって内側に彎曲されたキャブを共用することから、キャブの後側になるにしたがって上部旋回体が相対的にキャブ外郭部より突出するので、しかも、この突出部分は、キャブ外郭部の下側に位置する梁部材の開口端と上部旋回体の外殻部に設けられた開口部との間に設けられた、パイロット油圧配管や電気配線などが存在しない空スペース領域であるから、この空スペース領域を有効利用して、小物類の収納空間部を確保できる。同時に、旋回フレームの梁部材の内空部を、キャブ破損防止用のガード部材を収納するガード部材収納空間部とし、梁部材の開口端と対応して上部旋回体のフェンダに開口部と扉体を設けたので、レイアウト上スペースの少ない旋回型作業機械において、ガード部材を収納できる収納場所を確保できる。
【０００７】
請求項２に記載された発明は、請求項１記載の旋回型作業機械において、上部旋回体に、キャブ外郭部が後側になるにしたがって内側に彎曲されたキャブが旋回フレームより高い位置に搭載されたものであり、キャブが高い位置に搭載されたので、後方視界を確保できるとともに、高さに余裕のある収納空間部が得られる。
【０００８】
請求項３に記載された発明は、請求項１または２記載の旋回型作業機械における小物類を、ツールボックス、グリスガン、ウォッシャタンクおよびコントローラとしたものであり、ツールボックス、グリスガン、ウォッシャタンクおよびコントローラを、キャブの後部と対応するフェンダ内側の収納空間部に集中して設置でき、スペース効率および作業効率を向上できる。
【０００９】
請求項４に記載された発明は、請求項１乃至３のいずれか記載の旋回型作業機械を、上部旋回体の後端半径が小さい小旋回機としたものであり、レイアウト上スペースの少ない小旋回機であっても、キャブの後部と対応する位置で上部旋回体のフェンダに設けられた開口部と扉体により、キャブより下側に位置する収納空間部を利用できるようにしたので、小物類を収納できるスペースを確保できる。
【００１０】
【発明の実施の形態】
以下、本発明を図１乃至図４に示された一実施の形態を参照しながら詳細に説明する。
【００１１】
図２は、旋回型作業機械としての油圧ショベルを示し、最下部に、１対のクローラ11をそれぞれに装着された走行用油圧モータ（図示せず）によりスプロケット（図示せず）を介しそれぞれ駆動することで機体を移動する下部走行体12が設けられ、この下部走行体12上に、旋回用油圧モータ（図示せず）により駆動される旋回部13を介して、上部旋回体14が旋回可能に設けられている。
【００１２】
この上部旋回体14の前部に、作業装置としての掘削用のフロント作業装置15が搭載され、このフロント作業装置15の一側部にて上部旋回体14上に、ガラス窓16を有する運転室を形成するキャブ17が搭載され、上部旋回体14の後部上に、フロント作業装置15との質量バランスをとるためのカウンタウエイト18が搭載され、フロント作業装置15とカウンタウエイト18との間にて上部旋回体14上に、エンジンなどの動力装置19が搭載されている。
【００１３】
フロント作業装置15は、全体としてキャブ17の前方に突設されたものであり、上部旋回体14にブーム21の基端部が上下方向回動自在に軸支され、このブーム21の先端部にアーム22の基端寄り部が内外方向回動自在に軸支され、このアーム22の先端部にバケット23が開閉方向回動自在に軸支されている。
【００１４】
ブーム21は、上部旋回体14との間に設けられたブーム用油圧シリンダ24により上下方向に回動され、アーム22は、ブーム21との間に設けられたアーム用油圧シリンダ25により内外方向に回動され、バケット23は、アーム22との間に設けられたバケット用油圧シリンダ26およびリンケージ27により開閉方向に回動される。
【００１５】
この油圧ショベルは、上部旋回体14がほぼ下部走行体12上で旋回できる程度に、上部旋回体14の後端半径が小さく形成された小旋回機である。
【００１６】
図３に示されるように、上部旋回体14は、下部走行体12に対し旋回駆動される旋回フレーム31を有し、この旋回フレーム31は、中央部に前後方向に溶接付けされた１対のメインフレームプレート32を有している。
【００１７】
旋回フレーム31の前部中央には、ブーム21の基端部との干渉を避けるためのブーム嵌合溝33が凹状に切欠き形成され、プレート34により囲われている。このブーム嵌合溝33に臨む１対のメインフレームプレート32の前部間には、ブーム21の基端部を軸支するためのブーム取付用ブラケット35と、ブーム用油圧シリンダ24の基端部を軸支するためのシリンダ取付用ブラケット36とがそれぞれ設けられている。
【００１８】
各メインフレームプレート32の後部には、カウンタウエイト搭載用のカウンタウエイトマウント部37がそれぞれ溶接付けされている。これらのカウンタウエイトマウント部37には、カウンタウエイト18を固定するボルト（図示せず）を挿着するためのボルト挿着穴38がそれぞれ設けられている。
【００１９】
ブーム取付用ブラケット35と、カウンタウエイトマウント部37との間には、エンジン搭載用のエンジンマウント部39が、１対のメインフレームプレート32に溶接付けされている。
【００２０】
ブーム取付用ブラケット35より一側の旋回フレーム31上には、偏平形の梁部材41が溶接付けされ、この梁部材41の上面および旋回フレーム31のブーム嵌合溝33より一側の前端部上には、キャブ17を搭載するための１対のキャブマウント部42および１対のキャブマウント部43がそれぞれ溶接付けされている。
【００２１】
梁部材41上のキャブマウント部42，42間および前端部上のキャブマウント部43，43間には、プレート44，45がそれぞれ溶接付けされ、これらのプレート44，45間に、キャブ17内に引込まれるパイロット油圧配管、電気配線などの配管・配線領域46が区画形成されている。
【００２２】
前記梁部材41と反対側の旋回フレーム31上には、作動油タンク搭載用の作動油タンクマウント部47および燃料タンク搭載用の燃料タンクマウント部48がそれぞれ設置され、プレート49により囲われている。
【００２３】
図１および図２に示されるように、旋回フレーム31の周囲にはフェンダ51が装着され、キャブ17の外郭部における後部と対応する位置でフェンダ51の周側面には開口部52が設けられ、この開口部52に扉体としてのドア53の一側部が、ヒンジ54により開閉自在に取付けられている。このドア53の他側部には、鍵穴（図示せず）が設けられており、フェンダ51と面一に閉じられたドア53は、施錠可能となっている。
【００２４】
図１に示されるように、ドア53の内側には収納空間部55が設けられ、この収納空間部55内に、小物類としてのツールボックス56、グリスガン57、ウォッシャタンク58およびコントローラとしてのアタッチメント用コントローラ59が収納され、図示されない固定金具により位置決め固定されている。
【００２５】
グリスガン57は、収納空間部55の上部に配置され、ツールボックス56およびウォッシャタンク58は、グリスガン57の下側に配置され、アタッチメント用コントローラ59は、これらの奥で梁部材41上に配置されている。
【００２６】
ツールボックス56は、スパナ、ハンマなどの各種工具を収納する工具箱であり、グリスガン57は、機械摺擦部にグリスを充填するための手動ポンプであり、ウォッシャタンク58は、キャブ17のガラス窓16に装着されたワイパに供給される洗浄液の容器であり、大小２種類の収納が可能である。
【００２７】
アタッチメント用コントローラ59は、油圧回路のメインコントロール弁を制御するためのメインコントローラとは別に、アーム22の先端にバケット23に替えて油圧式ブレーカ、油圧式圧砕機などのアタッチメントを取付けた際に、これらのアタッチメント動作を制御するために設置されたコントローラであり、このアタッチメント用コントローラ59のインジケータを確認するために、ドア53を開く必要がある。
【００２８】
一方、キャブ17の下側スペースの大半に設けられた配管・配線領域46には、キャブプラットホーム61に取付けられた筒部62を通してキャブ内から引出されたパイロット油圧配管63、電気配線などが密集しているので、この配管・配線領域46には、上記のような小物類の収納空間部55を設置しない。
【００２９】
また、旋回フレーム31の一側部に溶接付けされた梁部材41は、外側端を開口端64とした中空の梁部材であり、この梁部材41の開口端64とも対応してフェンダ51に前記開口部52が設けられ、この開口部52に前記ドア53が開閉自在に設けられている。
【００３０】
このドア53の内側であって梁部材41の内空部にガード部材収納空間部65が設けられ、このガード部材収納空間部65内に、キャブ破損防止用のガード部材としてのバンダリズムガード66が、折畳み状態で収納されている。
【００３１】
このバンダリズムガード66は、キャブ17のガラス窓16の外側に取付けられ、ガラス窓16を悪戯などから保護する折畳可能な遮蔽鉄板であり、大きさの異なる複数が収納されている。
【００３２】
図４は、上部旋回体14上の平面配置を示し、中心部に、下部走行体12と上部旋回体14との油圧配管を接続するためのスイベルジョイント71が配置され、その近傍に、下部走行体12に対し上部旋回体14を旋回駆動するための旋回用油圧モータ72が配置され、この旋回用油圧モータ72の後方にエンジン73が配置され、このエンジン73の一側部に油圧回路の油圧ポンプ74が設置され、エンジン73の他側方に、冷却装置としてのラジエータおよびオイルクーラのクーリングパッケージ75と、エアフィルタ76とがそれぞれ配置され、これらの前方にキャブ17が配置され、このキャブ17とはブーム嵌合溝33を介して反対側に、油圧回路のメインコントロール弁77、作動油タンク78および燃料タンク79が配置されている。
【００３３】
この図４に示された上部旋回体14は、特定機種のものであるが、その特定機種の上部旋回体の外殻部より内側にてキャブ外郭部が後側になるにしたがって内側に彎曲された小型機種のキャブ17が共通に搭載され、このため、前記収納空間部55は、主として、相対的に小型のキャブ17の外郭部から突出された相対的に大型の上部旋回体14の空スペース領域Ａに設けられたものである。
【００３４】
例えば、２１トンクラスの小旋回型油圧ショベルすなわち小旋回機では、キャブ17を８トンまたは１３トンクラスの小型機と共通化していることから、２１トンクラスの上部旋回体14が８トンまたは１３トンクラスのキャブ17から突出した部分が空スペース領域Ａとなり、この空スペース領域Ａは、上部旋回体14内にパイロット油圧配管や電気配線なども存在しないデッドスペースであるので、主としてこの空スペース領域Ａを収納空間部55として有効利用する。
【００３５】
また、図３に示されたキャブマウント部42，43は、特定機種の上部旋回体14に、キャブ外郭部が後側になるにしたがって内側に彎曲された小型機種と共通のキャブ17が旋回フレーム31より高い位置に搭載されるように、充分な高さで設置されている。
【００３６】
例えば、８トンまたは１３トンクラスのキャブ17でも、２１トンクラスの小旋回機において充分な後方視界が得られるように、キャブ17は、８トンまたは１３トンクラスの小型機より６割ほど高い位置にマウントされており、このため、図１（ｂ）に示されるようにキャブプラットホーム61の下側の空スペース領域は、８トンまたは１３トンクラスの小型機より充分余裕があるので、この空スペース領域を収納空間部55として有効利用する。
【００３７】
次に、図示された実施の形態の作用効果を説明する。
【００３８】
ドア53の施錠を解除したキーによりドア53を開け、このドア53の内側の収納空間部55から必要とするツールボックス56、グリスガン57を取出し、また、ウォッシャタンク58に洗浄液を補充し、あるいは、アタッチメント用コントローラ59のインジケータを確認する。
【００３９】
ツールボックス56、グリスガン57を収納空間部55に戻し、ウォッシャタンク58の洗浄液補充またはアタッチメント用コントローラ59のインジケータ確認が完了したら、ドア53を閉じて施錠する。
【００４０】
スペース上の余裕があるキャブ17の後部と対応する位置で上部旋回体14のフェンダ51に開口部52とドア53を設け、ドア53の内側に小物類の収納空間部55を設けたので、レイアウト上スペースの少ない旋回型作業機械において、ツールボックス56、グリスガン57、ウォッシャタンク58およびアタッチメント用コントローラ59などの小物類を収納できるスペースを確保できる。
【００４１】
より大型の上部旋回体14に、より小型のキャブ17を共用することから、キャブ17の後方ほど上部旋回体14が相対的にキャブ17より突出するので、しかも、この突出部分はパイロット油圧配管や電気配線などが存在しない空スペース領域Ａであるから、この空スペース領域Ａを有効利用して、小物類の収納空間部55を確保できる。
【００４２】
小型機種と共通のキャブ17を大型機種に適用しても、小型機種より高い位置にキャブ17を搭載したので、後方視界を確保できるとともに、高さに余裕のある収納空間部55が得られる。
【００４３】
空スペース領域Ａを収納空間部55として有効利用することにより、ツールボックス56、グリスガン57、ウォッシャタンク58およびアタッチメント用コントローラ59を、キャブ17の後部と対応するフェンダ51の内側の収納空間部55に集中して設置できる。これにより、これらが分散配置された場合より、スペース効率が良いとともに、作業効率も向上する。
【００４４】
要するに、フェンダ51の内側の収納空間部55にアクセス可能なように、キャブ17の後部と対応する位置で上部旋回体14のフェンダ51に開口部52とドア53とを設けることにより、キャブ17より下側に位置する空スペース領域Ａを収納空間部55として有効利用できるようにしたので、レイアウト上スペースの少ない小旋回機であっても、小物類を収納できるスペースを確保でき、レイアウト上スペースの少ない小旋回機には極めて有効なスペース利用である。
【００４５】
また、旋回フレーム31の梁部材41の内空部を、キャブ破損防止用のガード部材を収納するガード部材収納空間部65とし、梁部材41の開口端64と対応して上部旋回体14のフェンダ51に開口部52とドア53を設けたので、レイアウト上スペースの少ない旋回型作業機械において、バンダリズムガード66を収納できる収納場所を確保できる。
【００４６】
すなわち、上部旋回体14のフェンダ51に開口部52とドア53を設けたことにより、従来はデッドスペースで全く利用されていなかった旋回フレーム31の梁部材41の内空部をガード部材収納空間部65として有効利用でき、レイアウト上スペースの少ない小旋回型の旋回型作業機械であっても、折畳んだバンダリズムガード66を収納する収納場所を確保できる。
【００４７】
なお、本発明は、バケット23による掘削用の油圧ショベルだけでなく、油圧ショベルと共通の機体に油圧式ブレーカ、油圧式圧砕機などを装着した作業機械にも適用できる。
【００４８】
【発明の効果】
請求項１記載の発明によれば、スペース上の余裕があるキャブの外郭部における後部と対応する位置で上部旋回体のフェンダの周側面に開口部と扉体を設け、扉体の内側に小物類の収納空間部を設けたので、レイアウト上スペースの少ない旋回型作業機械において、小物類を収納できるスペースを確保でき、特に、上部旋回体に、キャブ外郭部が後側になるにしたがって内側に彎曲されたキャブを共用することから、キャブの後側になるにしたがって上部旋回体が相対的にキャブ外郭部より突出するので、しかも、この突出部分は、キャブ外郭部の下側に位置する梁部材の開口端と上部旋回体の外殻部に位置する開口部との間に設けられた、パイロット油圧配管や電気配線などが存在しない空スペース領域であるから、この空スペース領域を有効利用して、小物類の収納空間部を確保できる。同時に、旋回フレームの梁部材の内空部を、キャブ破損防止用のガード部材を収納するガード部材収納空間部とし、梁部材の開口端と対応して上部旋回体のフェンダに開口部と扉体を設けたので、レイアウト上スペースの少ない旋回型作業機械において、ガード部材を収納できる収納場所を確保できる。
【００４９】
請求項２記載の発明によれば、キャブが高い位置に搭載されたので、後方視界を確保できるとともに、高さに余裕のある収納空間部が得られる。
【００５０】
請求項３記載の発明によれば、ツールボックス、グリスガン、ウォッシャタンクおよびコントローラを、キャブの後部と対応するフェンダ内側の収納空間部に集中して設置でき、スペース効率および作業効率を向上できる。
【００５１】
請求項４記載の発明によれば、レイアウト上スペースの少ない小旋回機であっても、キャブの後部と対応する位置で上部旋回体のフェンダに設けられた開口部と扉体により、キャブより下側に位置する収納空間部を利用できるようにしたので、小物類を収納できるスペースを確保できる。
【図面の簡単な説明】
【図１】  （ａ）は、本発明に係る旋回型作業機械の上部旋回体の一実施の形態を示す要部の平面図、（ｂ）は、その収納空間部内に収納された小物類の配置例を示す正面図である。
【図２】  同上旋回型作業機械の斜視図である。
【図３】  同上旋回型作業機械の旋回フレームを示す斜視図である。
【図４】  同上旋回型作業機械の上部旋回体上の配置例を示す平面図である。
【符号の説明】
12    下部走行体
14    上部旋回体
15    作業装置としてのフロント作業装置
17    キャブ
31    旋回フレーム
41 梁部材
51    フェンダ
52    開口部
53    扉体としてのドア
55    収納空間部
56    小物類（ツールボックス）
57    小物類（グリスガン）
58    小物類（ウォッシャタンク）
59    小物類（コントローラとしてのアタッチメント用コントローラ）
64 開口端
66 ガード部材としてのバンダリズムガード
Ａ    空スペース領域
【図１】
0003980912.tif 000002
【図２】
0003980912.tif 000003
【図３】
0003980912.tif 000004
【図４】
0003980912.tif 000005